(57)【特許請求の範囲】
【請求項１】
バランス（１４１）と、可撓性単一片機構（５００）を有するエスケープ車（１４５）と、固定構造体（８００）とから構成され、かつ前記可撓性単一片機構（５００）によって前記バランス（１４１）の衝撃ピン（１４２）及び前記エスケープ車（１４５）の歯（１４６）の間を衝撃が伝達されるエスケープ機構（１００）であって、
前記エスケープ機構（１００）は、パレットレバーのないエスケープ機構（１４０）であり、
前記可撓性単一片機構（５００）は、少なくとも前記歯（１４６）それぞれに設けられたレバー（１４７）から構成され、
前記レバー（１４７）は、持ち上げ片（１５０）および前記持ち上げ片（１５０）によって作動することができる可撓性を有するピン（１４８）を備えており、
前記エスケープ車（１４５）の低い高さレベルでは、前記固定構造体（８００）に設けられた第１の止めメンバー（１４３）及び第２の止めメンバー（１４４）と同じ高さレベルにある前記ピン（１４８）を支え、
前記エスケープ車（１４５）の高い高さレベルでは、前記持ち上げ片（１５０）を支え、
前記衝撃ピン（１４２）は、前記衝撃ピンに対向する前記レバー（１４７）の１つを回転させるように構成され、
前記バランス（１４１）の第１の回転方向では、前記エスケープ車（１４５）を止めるように前記ピン（１４８）が前記第２の止めメンバー（１４４）に当たって連係し、
前記第１の回転方向とは反対方向の前記バランス（１４１）の第２の回転方向では、前記第１の止めメンバー（１４３）と反対側に前記持ち上げ片（１５０）を動かして、前記ピン（１４８）を前記第２の止めメンバー（１４４）に対して迂回させて、前記エスケープ車（１４５）が次の歯（１４６）へと回転することが可能になる
ことを特徴とする計時器エスケープ機構（１４０）。
【請求項２】
前記可撓性単一片機構（５００）は、さらに可撓性ストリップを含みかつ前記可撓性ストリップの少なくとも１つの可撓性ストリップ（７００）によって前記エスケープ車（１４５）に接続され、
前記ピン（１４８）はそれぞれ、可撓性ストリップ（１４９）によってガイドされ、
前記歯（１４６）はそれぞれ先端部に、衝撃面（１５１）を有し、
前記バランス（１４１）が衝撃直後時計回りに時間運動を始めると
前記衝撃ピン（１４２）は、前記第１の止めメンバー（１４３）から解放されるように前記レバー（１４７）を回転させ、
前記エスケープ車（１４５）は、その後、前記ピン（１４８）が前記第２の止めメンバー（１４４）に当たって連係するまで非常に小さな角度を進み、
前記バランス（１４１）が反時計回りに回転すると、
前記衝撃ピン（１４２）は、前記衝撃ピンに対向するレバー（１４７）を回転させ、
前記第１の止めメンバー（１４３）とは反対側に前記持ち上げ片（１５０）を動かして、
前記ピン（１４８）が前記第２の止めメンバー（１４４）を迂回し、
前記エスケープ車（１４５）が次の歯（１４６）へと回転し、
この回転運動の間に前記衝撃面（１５１）が衝撃を前記衝撃ピン（１４２）へと与える
ことを特徴とする請求項１に記載の計時器エスケープ機構（１４０）。
【請求項３】
前記持ち上げ片（１５０）は、ルビー製の持ち上げ片であることを特徴とする請求項１に記載の計時器エスケープ機構（１４０）。
【請求項４】
請求項１に記載の計時器エスケープ機構（１００）を少なくとも１つ有する計時器ムーブメント（９００）。
【請求項５】
請求項１に記載の計時器エスケープ機構（１００）を少なくとも１つ及び／又は請求項４に記載の計時器ムーブメント（９００）を少なくとも１つ有する計時器（１０００）。
【発明の詳細な説明】
【技術分野】
【０００１】
本発明は、少なくとも１つのバランス及び少なくとも１つのエスケープ車を有する計時器ムーブメント又は計時器のためのエスケープ機構に関する。
【０００２】
本発明は、さらに、固定構造体及び少なくとも１つのこの種のエスケープ機構を有する計時器ムーブメントに関する。
【０００３】
本発明は、さらに、固定構造体及び少なくとも１つのこの種のエスケープ機構を有する計時器、及び／又は少なくとも１つのこの種の計時器ムーブメントに関する。
【０００４】
本発明は、計時器機構の分野に関し、より詳細には、エスケープ機構に関する。
【背景技術】
【０００５】
腕時計製造のパフォーマンスのためには、生産、アセンブリ、調整コストを制御するために、最小の所要空間、少ない部品数と共に、高精度な運動が必要である。ＬＩＧＡ又はＤＲＩＥの技術によって、可撓性を有し精密な部品を生産することができ、数多くの部品及び複雑な調整が必要な従来のアーキテクチャに挑戦することができる。
【０００６】
Rolex SA名義の特許文献WO 2011/120180 A1は、２つのアームを備えたパレット型ブレーキレバーを開示しており、これにおいて、各アームには、同じように歯を備える歯車と係合するつめ石が設けられ、２つの弾性アームがフレームにブレーキレバーを接続し、これによって、回転することが可能になり、双安定系を実質的に形成する第３の弾性の要素を有するもの。
【０００７】
Enzler & Von Gunten名義の特許文献EP 2037335 A2は、単一片のスイスのレバーを開示しており、これにおいて、２つのアームそれぞれにつめ石が設けられ、構造体に接続され、疑似回転を定める可撓性ストリップによって形成されるアームを有する。
【０００８】
Nivarox名義の特許文献EP 2450755 A1は、計時器機構のためのエスケープ車を開示しており、これにおいて、共軸であり回転軸を中心に同期的に回転する複数の歯車を有し、第１の衝撃面において第１の衝撃歯車、及び第１の衝撃面に平行又は一体である第２の止め平面において第２のリリース歯車を有する。第２のリリース歯車は、少なくとも１つの移動可能なアセンブリを有し、これは、一方では、回転軸に対して放射状方向に運動可能で、第１のリターン手段によって平衡点に戻される少なくとも１つのリリース歯を有し、他方では、第２のリターン手段によって止め位置の方向へと第１の放射状方向に戻される、少なくとも１つのロック歯手段を有する。リリース歯は、駆動手段を有し、これは、リリース歯が第１の放射状方向とは反対の第２の放射状方向に移動する場合、ロック歯を第２の放射状方向に駆動するために、ロック歯に備えられた相補的駆動手段と連係するように構成する。リリース歯が第１の放射状方向に移動する場合、駆動手段は、ロック歯を駆動せずに、相補的駆動手段から所定距離離れるように移動するように構成する。
【０００９】
Girard Perregaux SA名義の特許文献EP 2105806 A1は、２つの直交軸を定める変形可能なフレームを開示しており、これは、最大の寸法で留められた片状ばねを有し、これは、双安定の片の形に変化がある場合にエネルギーを回復するように構成する。
【００１０】
Rolex SA名義の特許文献EP 2221677 A1は、ばねに対して回転するレバーを備えた移動止めエスケープを開示しており、このばねは、エスケープ車へのレバーの止め要素を押し、レバーは、バランスの速度変化の影響下で位置がバランスローラーに対して移動可能なローラーによって支えられるリリースフィンガーと連係するリリース要素を支える。
【００１１】
Shortill名義の特許文献CH 60813 Aは、レバーエスケープを開示しており、そのエスケープ車が、そのフランジの両面で、お互い反対に対向するように取り付けられたつめ石と連係する交互に形成された歯を有する。
【００１２】
ETA SA名義の特許文献EP 1967919 A1は、接線方向の衝撃を備えたエスケープを開示しており、これは、輪の中に位置する移動可能なエスケープの歯と連係するように構成するつめ石を有する移動可能な輪形のフレームを有する。
【発明の概要】
【発明が解決しようとする課題】
【００１３】
本発明は、小さな厚みを有し、生産が経済的なコンパクトな機構の提案することによって既知のアーキテクチャの制限を解消しようとするものである。
【課題を解決するための手段】
【００１４】
したがって、本発明は、少なくとも１つのバランス及び少なくとも１つのエスケープ車を有する計時器ムーブメント用エスケープ機構又は計時器に関する。これにおいて、少なくとも１つのバランスと少なくとも１つのエスケープ車の間の衝撃の伝達が、少なくとも１つのエスケープ車又は少なくとも１つのバランスにそれぞれ連係する少なくとも１つのフィーラスピンドルを有する可撓性単一片機構によって達成され、また、可撓性単一片機構が少なくとも１つの可撓性ストリップによって計時器の固定構造体又は少なくとも１つのエスケープ車それぞれに接続される。
【００１５】
本発明は、さらに、固定構造体及び少なくとも１つのこの種の機構を有する計時器ムーブメントに関する。
【００１６】
本発明は、さらに、固定構造体及び少なくとも１つのこの種の機構を有する計時器、及び／又は少なくとも１つのこの種の計時器ムーブメントに関する。
【００１７】
本発明の他の特徴及び利点が、添付図面を参照する以下の詳細な説明を読むことで理解できるであろう。
【図面の簡単な説明】
【００１８】
【図１−２】本発明に係るパレットレバーを有するエスケープを示す。
【図３】この種の機構を有するムーブメントを備えた計時器をブロック図の形態で示す。
【発明を実施するための形態】
【００１９】
可撓性領域を有し、部品数が減少している数多くの計時器機構が作られている。これらは、好ましくは、シリコンで作られた部品やＬＩＧＡ又はＤＲＩＥ技術を使用して作られた部品を使用している。
【００２０】
これらの可撓性を有する領域を、ガイドメンバー、特に、回転ガイドの形成及び／又は弾性的戻し手段を形成するために使用することができる。
【００２１】
以下の説明における「可撓性ガイドメンバー」は、一又は複数の可撓性ストリップを有する線形運動又は回転運動をするガイドメンバーを意味する。これらのガイドメンバーは、数多くの長所を有する。そのうち、特に、精密さ、摩擦なし、ヒステリシスなし、損耗なし、潤滑の必要性なし、焼付なし、モノリシックな製造が挙げられる。最も一般的な制限事項は、運動の制限、低い復帰力又はトルク密度、時折複雑な運動系、支える負荷についての制限である。
【００２２】
可撓性ガイドメンバーは、中央の方向の両側に及ぼされる力の作用の下で留められることによってはたらく部品の場合に、ゼロ剛性を得るか又は双安定の状態を有するように変更することができる。その部品の両側では、部品が２つの異なる安定状態を占めることができる。
【００２３】
特に好ましい手法において、本発明は、少なくとも１つバランス３００及び少なくとも１つのエスケープ車４００を有する計時器ムーブメント９００又は計時器１０００のためのエスケープ機構１００に適用可能である。
【００２４】
本発明によれば、少なくとも１つのバランス３００及び少なくとも１つのエスケープ車４００の間の衝撃の伝達が、可撓性単一片機構５００によって達成される。この可撓性単一片機構５００は、少なくとも１つのエスケープ車４００又は少なくとも１つバランス３００のそれぞれと連係する少なくとも１つのフィーラスピンドル６００を有する。可撓性単一片機構５００は、少なくとも１つの可撓性ストリップ７００によって、又は好ましくは弾性的戻し手段を形成する複数の可撓性ストリップによって、計時器１０００の固定構造体８００に又は少なくとも１つのエスケープ車４００のそれぞれに接続される。
【００２５】
図１及び２は、パレットレバーがないエスケープ１４０を示す。バランス１４１は、衝撃ピン１４２を備えたローラーを有する。プレートは２つのピン／止めメンバー１４３及び１４４を有する。エスケープ車１４５は複数の歯１４６を有する。歯１４６はそれぞれ、断続的なブロッキング機構を形成し、レバー１４７を有する。レバー１４７はそれぞれ、可撓性ストリップ１４９によってガイドされるレバーピン１４８を有する。小さな持ち上げ片１５０によってこのレバーピン１４８を作動させることができる。歯１４６はそれぞれ、さらに、衝撃面１５１を有する。このエスケープ車機構には、２つの高さレベルがある。すなわち、低い高さレベルでは、レバーピン１４８を支え、これは、プレートピン／止めメンバー１４３及び１４４が配置されている高さにある。高い高さレベルでは、エスケープ車１４５及び持ち上げ片１５０の構造を支える。
【００２６】
この機構の動作を、衝撃直後のエスケープ車１４５の１つの歯１４６を参照して説明する。これにおいて、バランス１４１が時間運動を開始させている。バランス１４１が時計回りに回転すると、衝撃ピン１４２がレバー１４７を回転させ、このレバー１４７は、図２の位置ＰＢから位置ＰＡへと変わり、第１のプレート止めメンバー１４３から解放される。レバー１４７のパレットピン１４８が第２プレート止めメンバー１４４に当たるまで、非常に小さな角度をエスケープ車１４６が進む。
【００２７】
バランス１４１が反時計回りに回転すると、衝撃ピン１４２がこれに対向するレバー１４７を回転させ、これによって、持ち上げ片１５０が位置ＰＣに動き、レバーピン１４８が第２のプレートメンバー１４４を迂回する。エスケープ車１４５は、次の歯へと回転する。この運動では、エスケープ車１４５の衝撃面１５１が衝撃ピン１４２に衝撃を与える。
【００２８】
特定の変形例では、この衝撃専用にルビー製の持ち上げ片が用いられる。
【００２９】
プレートと一体的なピン／止めメンバー１４３及び１４４の特殊な形状によって、飛ばし（トリッピング）を防ぐことができる。
【００３０】
本発明は、さらに、この種の少なくとも１つの可撓性機構を有し、特に、固定構造体８００、及び少なくとも１つのこの種の機構１００を有するような計時器ムーブメント９００に関する。
【００３１】
本発明は、さらに、少なくとも１つのこの種の計時器ムーブメント９００及び／又は上記の少なくとも１つの可撓性機構を有する計時器１０００、特に、腕時計に関し、特に、固定構造体８００及び少なくとも１つのこの種の機構１００を有する。
【図１】
0006034949.tif 000002
【図２】
0006034949.tif 000003
【図３】
0006034949.tif 000004